(57)【要約】      （修正有）【課題】水を循環させることが必要な装飾用の装置を、容易に作成できるキットを提供する。【解決手段】水循環装置は、底部に水抜き穴３１が形成された水鉢３０の下方部に密着させて装着する連結部材２１と、連結部材２１と接合する下層容器２０とを備える水循環装置であって、下層容器２０は、自容器内の水を取水して水鉢３０内に給水するポンプ４１を有し、連結部材２１は、当該連結部材２１を貫通し、水抜き穴３１から水鉢３０内に立設する中空柱体１４を有し、水鉢３０内の水は、中空柱体１４の上部から落下し、中空柱体１４の下部から下層容器２０内に落下する。【選択図】図３
0003215827.tif 000002
【実用新案登録請求の範囲】
【請求項１】
底部に水抜き穴が形成された水鉢の下方部に密着させて装着する連結部材と、前記連結部材と接合する下層容器とを備える水循環装置であって、
前記下層容器は、自容器内の水を取水して前記水鉢内に給水するポンプを有し、
前記連結部材は、当該連結部材を貫通し、前記水抜き穴から前記水鉢内部に立設する中空柱体を有し、前記水鉢内の水は、前記中空柱体の上部から落下し、前記中空柱体の下部から前記下層容器内に落下する  ことを特徴とする水循環装置。
【請求項２】
前記下層容器は、濾材を備え、前記ポンプは、前記濾材によりろ過された水を前記水鉢内に給水することを特徴とする請求項１に記載の水循環装置。
【考案の詳細な説明】
【技術分野】
【０００１】  本考案は、水を循環させる水鉢の作成に関する。
【背景技術】
【０００２】  近年、「登山ブーム」の再来といわれ、都会在住の多くの人が登山を楽しむようになっている。特に「山ガール」と呼ばれる多くの若い女性が各地の山に登るようになっている。また「里山歩き」と称され、本格的な登山ではなく、人里付近にある山や森林に出向きトレッキングシューズ等を履き、ハイキング感覚で一人又は気の合う仲間と談笑しながら歩くこともトレンドとなっている。【０００３】  自然界には多くの生物、例えば草花、昆虫、樹木、魚、鳥、動物等々が存在している。人もその一員であり、かつ自然の一部であって、他の生物と同様に自然の恩恵によって生きている。動物の感覚は、外界を察知して危険から身を守る防御本能以外に自然界のエネルギーを取入れる機能も併せ持っていると考えられている。人間もそのエネルギーを取入れる機能を有しており、その機能が五感と称されるものであり、視覚・聴覚・触覚・味覚・嗅覚で、脳の異なる部分で処理されている。【０００４】  現代人、特に都会に住む多くの人は、日頃からの都会の喧騒、勤務上のストレスや対人関係等々に悩まされ、また年間４Ｋｇともいわれる食品添加物と人工的な有害物質を摂取している。これらの有害物質は、体内の活性酸素を増大させて人々の健康を脅かしている。人々はこれらの脅威に対抗するために無意識のうちに自然のエネルギー（治癒力等）を求め、体内の正常化を図ろうとしている。「登山ブーム」や「里山歩き」が注目されているのは、人の脳における五感が、自然に触れることによってストレスを解消し、活性酸素を除去したいという願望の表れとも考えられる。【０００５】  自然界の一部を凝縮して人工的に創造し、人々に癒しを与えることを目的とした種々の提案がなされている。例えば、「ジオラマ」、「テラリウム」又は「アクアリウム」等である。「ジオラマ」は、展示物及びその周辺の環境、背景を立体的に表現した情景模型であり、特許文献１（第１頁、図１参照）等が開示されている。「テラリウム」は、植物、水等を用いて森などの自然の一部を再現した槽をいう。特許文献２（第１頁、図１参照）等が開示されている。「アクアリウム」は、水槽内で、淡水魚、海水魚又は／及び水性植物を成育させて室内を装飾しようとするもので、特許文献３（第１頁、図１参照）等が開示されている。
【先行技術文献】
【特許文献】
【０００６】
【特許文献１】実用新案登録第３１７４７６４号公報
【特許文献２】実用新案登録第３１０７１０３号公報
【特許文献３】特開２００８−２５４２２９号公報
【考案の概要】
【考案が解決しようとする課題】
【０００７】  しかしながら、特許文献１の「ジオラマ」は、造型の楽しみはあっても、出来上がれば、ただ飾って置いているだけであり、他の楽しみ、興趣等は湧かないという問題点がある。特許文献２の「テラリウム」は、容器内の植物を成育させるための手入れが困難という不具合がある。さらに特許文献３の「アクアリウム」は、魚類、特に海水魚の飼育は極めて困難で、かつ専門的な知識を要し、さらに浄化装置や温度調整等に高額な費用を要するという欠点がある。
そこで、本考案は、「ジオラマ」等のような、水を循環させることが必要な装飾用の装置を、容易に作成できるキットを提供することを目的とする。
【課題を解決するための手段】
【０００９】  課題を解決するための手段は、本願の実用新案登録請求の範囲の各請求項に記載の考案であり、その具体的な解決手段は、以下の通りである。
本考案にかかる一態様の水循環装置は、底部に水抜き穴が形成された水鉢の下方部に密着させて装着する連結部材と、前記連結部材と接合する下層容器とを備える水循環装置であって、前記下層容器は、自容器内の水を取水して前記水鉢内に給水するポンプを有し、前記連結部材は、当該連結部材を貫通し、前記水抜き穴から前記水鉢内部に立設する中空柱体を有し、前記水鉢内の水は、前記中空柱体の上部から落下し、前記中空柱体の下部から前記下層容器内に落下することを特徴とする。
また、上述の水循環装置において、前記下層容器は、濾材を備え、前記ポンプは、前記濾材によりろ過された水を前記水鉢内に給水することが好ましい。
【考案の効果】
【００１０】  上記考案によれば、好みの容器を水鉢として用いて、例えば、水琴窟やジオラマを作成することができる。
上記考案によれば、「ジオラマ」、「テラリウム」又は「アクアリウム」等の諸機能を併せ有すると共に、日本庭園の添景物である「つくばい」を加え、自然界を凝縮した多目的展示装置が作成でき、人が有する五感のうち、味覚を除く視覚・聴覚・触覚・嗅覚で人々に精神的及び肉体的な癒しを与えることが可能な自然界を凝縮した多目的展示装置が作成できる。【００１１】  上記考案によれば、屋内に設置すれば、人が生活するのに快適な湿度調整機能を有する自然界を凝縮した多目的展示装置が作成できる。【００１２】  上記考案によれば、観葉植物、各種動植物又は装飾器物等を組み合わせ、四季又は状況に応じて、レイアウトする造型が楽しめると共に、興趣を高めることが可能な自然界を凝縮した多目的展示装置が作成できる。【００１３】  上記考案によれば、幼児、小中学生等の学童には自然界における生態系の学習ともなる自然界を凝縮した多目的展示装置が作成できる。
【図面の簡単な説明】
【００１４】
【図１】本考案における自然界を凝縮した多目的展示装置の構成部材を分離して示す斜視図である。
【図２】同各構成部材を組み立てた状態を示す一部切欠中央縦断正面図である。
【図３】水循環装置の使用例を説明するための図である。
【図４】水循環装置の使用例を説明するための図である。
【考案を実施するための形態】
【００１５】  図１は、自然界を凝縮した多目的展示装置（以下、展示装置１００という）の主な構成部材を分離した状態を示している。展示装置１００は、木材、竹材又は／及び合成樹脂材からなる基台１０と、基台１０の一端１１に載置された下層容器２０と、下層容器２０の上部と連結部材２１により一体化された上層容器３０と、下層容器２０内に収納され、上層容器３０内の貯留水Ｗをろ過、還流するための還流装置４０（図２、参照）と、基台１０に配設される人工観葉植物Ｐ１、各種動植物Ｐ２又は人工装飾器物Ｐ３と、上層容器３０内で成育される魚類３１、植物３２とから構成されている。また、基台１０の一端１１には上層容器３０を安定的に保持するための脚部材１２が設けられており、基台１０の他端１３には、ろ過還流装置４０の構成部材である竹材、木材又は合成樹脂材からなる中空柱体４０Ｐが立設されている。さらに基台１０のほぼ中央部には、人工観葉植物Ｐ１、各種動植物Ｐ２又は人工装飾器物Ｐ３を配設するための取付手段１５が設けられている。
【００１６】  下層容器２０は、円筒状又は角筒状の透明又は不透明合成樹脂材よりなり、該下層容器２０には、循環用水（貯留水Ｗ）、水中ポンプ４１、濾材４２、活性炭、芳香剤又は薬剤のうちの１〜複数が充填されている。上層容器３０は、陶器、石材、木材又は合成樹脂材からなるすり鉢状の貯水容器であり、貯水容器は少なくとも水Ｗと共に魚類３１、植物３２及び／又は砂利石３３が収納可能な容積を有し、貯水容器２０の底部は、下層容器２０と連結部材２１を介して連結されると共に、上層容器３０の底部の中心には貯水容器３０内の貯留水Ｗを下層容器２０に送水するための送水孔１６又は連通管が備えられている。
【００１７】  ろ過還流装置４０は、中空柱体４０Ｐ、水中ポンプ４１、電源及び配線コード（不図示）、濾材４２、活性炭、芳香剤、薬剤、ビニールホース４３及び傾斜管（筧）４４よりなっている。また人工観葉植物Ｐ１、各種動植物Ｐ２又は人工装飾器物Ｐ３を配設するための取付手段１５は、嵌合穴、フック、接着材又はクリップとすることができる。
【００１８】  次に、本考案に係る展示装置１００の実施形態における作用について説明する。基台１０の一端１１側は、巾広の五角形状とされ、五角形の各辺には、上層容器３０の外周側壁３０ｂを安定的に保持するための５本の脚部材１２が立設されている。基台１０の他端１３側には、ろ過還流装置４０の構成部材である竹材等からなる中空柱体４０Ｐ（以下、竹筒４０Ｐという）が立設される。
竹筒４０Ｐの下方には、基台１０の他端１３側に嵌合させるための切欠口４０Ｐ１が形成され、図２に示すように取り付けられる。竹筒４０Ｐの上方には、傾斜管（筧）４４の後端部４４ｂを取り付けるための取付孔４０Ｐ２が穿設されている。基台１０のほぼ中央部には、人工観葉植物Ｐ１等を取り付けるための取付手段１５、例えば、１〜複数の嵌合孔等が形成されている。嵌合孔１５は人工観葉植物Ｐ１等を季節毎に随時取り替え可能な大きさとされている。人工観葉植物Ｐ１、筧４４や竹筒４０Ｐ等からなる日本の風情を鑑賞することにより、視覚的な癒しとなる。また図示していないが、基台１０の中央平坦部には、各種動植物のフィギュアや石灯篭等の人工装飾器物を載置して視覚的に楽しむことができる。
【００１９】  上層容器３０と下層容器２０は、連結部材２１、例えば、螺着又は嵌合することにより一体化することができる。上層容器３０（貯水容器）内には所定量の水Ｗが貯水され、魚類３１、植物３２又は／及び砂利石３３等が入れられる。下層容器２０内には、水中ポンプ４１、濾材４２等の他、フィルター、活性炭、芳香剤、薬剤等（不図示）を投入することができる。ろ過還流装置４０は、例えば、金魚やメダカ３１等の排出物は濾材４２等を介してろ過され還流する装置である。水中ポンプ４１のスイッチがＯＮされると、下層容器２０内の水Ｗは、下層容器２０の側壁に設けられたビニールホース４３の先端口４３ｈからビニールホース４３内を通って中空柱体（竹筒）４０Ｐ内を上昇し、傾斜管（筧）４４に達し、傾斜管４４の滴下口４４ｈから貯水容器３０内に滴下する。水Ｗが貯水容器３０の水面に滴下するときに発する滴下音は、人の聴覚を快く刺激し、癒しとなる。また、水中ポンプ４１を連続運転することにより、例えば、展示装置１００を室内に設置すれば、貯水容器３０内の水Ｗは、展示装置１００内を還流しながら、滴下口４４ｈからの滴下水Ｗと貯水容器３０内の貯水Ｗが蒸発するので、室内は、人が生活するうえで快適な湿度とされる４０〜６０％をコンスタントに維持することができ、咽喉等の呼吸器系には好適であり、また皮膚乾燥を防止することができる効果を奏する。さらに、魚類３１等を貯水容器３０内に入れていないときは、貯水容器３０内に芳香剤を滴下すれば、芳香剤は、ろ過還流装置４０の水中ポンプ４１により水Ｗと共に還流し、滴下口４４ｈから滴下しながら芳香を放散させることができ、アロマテラピー効果を奏する。
【００２０】  展示装置１００は、自然界の生態系の学習教材とすることができる。すなわち、人はもちろん、動植物は水によって生きている。水は、海で発生した水蒸気が空に向かって上昇して雲を形成し、雨となって地上に降り、動植物や米麦等の穀物を成育させる。また雨は川となり、貯水場等でろ過され、飲料水や工業用水として利用される。使用された水等は海に還り、再び水蒸気となって上昇し、雨となって地上に降り、人や動植物等が生きる糧となる。本考案の展示装置１００における上層容器（貯水容器）３０、下層容器２０、貯留水Ｗ、ろ過還流装置４０、人工観葉植物Ｐ１及び貯水容器内の貯留水Ｗで成育される魚類３１、植物３２等は、上記の自然界における生態系の縮図そのものといえる。
図３、図４を用いて、ユーザが所望の上部容器３０を水鉢として、本考案の水循環装置（実線部分）を用いて水琴窟を作る例を説明する。
上部容器の底部には、中空柱体１４が差し込める大きさの穴３１をあけておく。下層容器２０には、水中ポンプ４１が内蔵されている。水中ポンプ４１は、下層容器２０内にたまった水を吸引し、ビニールホース４３で上部容器３０に給水する。水中ポンプ４１には、駆動用の電源が外部から供給されている（不図示）。水中ポンプ４１内には、濾材４２が入れられており、上部容器３０に給水される水は、ろ過されているものとする。
下層容器２０の蓋となる連結部材２１に、中空柱体１４が貫通して固定されている。
連結部材２１の中空柱体１４を、穴３１に差し込んで、穴３１の周囲から水が漏れないように隙間を充填剤等で埋めて、更に、上部容器３０と連結部材２１とが離れないように、固定する。接着剤等を用いて接着させてもよい。
図４が示すように、上部容器３０と連結部材２１とが接着され、また、下層容器２０（不図示）は連結部材２１によって密閉される。この状態で、上部容器３０に水を、ユーザの所望の水位まで入れて（中空柱体１４の上部１４ａが水面下であればよい）、水中ポンプ４１を駆動させると、下層容器２０内の水がビニールホース４３を通じて上部容器３０に給水される。下層容器２０内の圧力が低下することから、上部容器３０内の水は、中空柱体１４の上部１４ａから流れ込み、下部１４ｂから下層容器２０内に流れ落ちる。更に、水中ポンプ４１により吸い上げられ、中空柱体１４を通って流れ落ちることを繰り返す。
水中ポンプ４１から上部容器３０に給水される水は、ろ過されたものであるので、上部容器３０内はきれいな状態を長く保つことができる。
ユーザは、自分が望む大きさ、形状の水鉢を用いて、容易に、水の循環するインテリアを作成することが可能となる。また、循環する水はろ過されていることから、金魚等の生物を飼うことも可能であり、水鉢内が汚れにくくなるため、メンテナンスの回数も少なくなる。
【符号の説明】
【００２１】展示装置…１００
基台…１０
一端…１１
脚部材…１２
他端…１３
中空柱体…１４
取付手段…１５
送水孔…１６
下層容器…２０
連結部材…２１
貯留水…Ｗ
上層容器（水鉢）…３０
魚類…３１
植物…３２
砂利石…３３
ろ過還流装置…４０
中空柱体…４０Ｐ
水中ポンプ…４１
濾材…４２
ビニールホース…４３
傾斜管…４４
人工観葉植物…Ｐ１
【図１】
0003215827.tif 000003
【図２】
0003215827.tif 000004
【図３】
0003215827.tif 000005
【図４】
0003215827.tif 000006